(57)【特許請求の範囲】
【請求項１】
アンテナで受信された放送波の受信レベルが所定レベル以上であるかどうかを判定する受信レベル判定手段と、
現在選局中のチャンネルにおいて放送が休止中となっているか否かを判定する第１手段、
現在選局中のチャンネルにおいて放送が休止中となっていると判定したときには、この後所定時間の間、操作部から入力があるか否かを監視する第２手段、および
所定時間の間、操作部から入力がなかったときには、省電力化処理を行う第３手段を備えており、
第１手段は、受信レベル判定手段において放送波の受信レベルが所定レベル以上であると判定されているにも係らず、映像・音声の提示に必要な情報が取得できないときに、現在選局中のチャンネルにおいて放送が休止中となっていると判定するものであることを特徴とするデジタルテレビジョン放送受信機。
【請求項２】
現在選局中のチャンネルにおいて放送が休止中となっているか否かを判定する第１手段、
現在選局中のチャンネルにおいて放送が休止中となっていると判定したときには、この後所定時間の間、操作部から入力があるか否かを監視する第２手段、および
所定時間の間、操作部から入力がなかったときには、省電力化処理を行う第３手段を備えており、
第１手段は、映像・音声の提示に必要な情報が取得できているにも係らず、現在選局中の番組に対する番組情報中の番組タイトルが放送休止中であることを表現しているときに、現在選局中のチャンネルにおいて放送が休止中となっていると判断するものであることを特徴とするデジタルテレビジョン放送受信機。
【請求項３】
上記省電力化処理は、表示装置の電源を切断するものである請求項１及び２のいずれかに記載のデジタルテレビジョン放送受信機。
【請求項４】
上記省電力化処理は、受信機自体を省電力モードとさせるものである請求項１及び２のいずれかに記載のデジタルテレビジョン放送受信機。
【発明の詳細な説明】
【０００１】
【発明の属する技術分野】
この発明は、デジタルテレビジョン放送受信機に関する。
【０００２】
【従来の技術】
デジタル放送では、さまざまな形態の多チャンネル放送が行なわれている。従来のアナログ放送では、番組と関連した情報（たとえば番組のタイトル）などは放送において送信されていなかったが、デジタル放送ではこのような情報が送信される。
【０００３】
アナログ放送では、ユーザが深夜にテレビジョンを見たまま寝てしまったときのように、ユーザが視聴をしていないのにテレビジョンの電源が入っている場合において、選局されているチャンネルで放送が休止となったときには映像の同期信号がなくなる。そこで、アナログ放送を受信する受信機として、受信映像の同期信号がなくなった後、一定時間の間、ユーザによって操作が行なわれなかったときには、ＣＲＴの電源を切断するとともに、テレビジョンの電源を待機状態とすることによって、省電力を図るものが開発されている。
【０００４】
デジタル放送において、チューナが放送波キャリアを捕捉しているかいないかだけではその見ているチャンネルが放送休止中になったと判定することはできない。それは、１トランスポンダに数チャンネルの放送が行われており、そのトランスポンダで送信されているチャンネルのすべてが同時に放送休止にならない限り、送信側で放送波キャリアの送出を止めることはないからである。
【０００５】
通常、放送波キャリアがなくなった場合には、特に衛星放送では、降雨によって減衰したなどと判断される。また、番組タイトルが「放送休止」、「放送休止中」となる放送休止状態もありうる。このままであれば、ユーザが電源を切らずにいた場合、実際にそのチャンネルで放送休止となったときに、アナログ放送と同じような省電力機能を実現できない。
【０００６】
【発明が解決しようとする課題】
この発明は、現在選局されているチャンネルの放送が休止中となった後、一定時間の間、ユーザ操作がなかったときに、省電力動作を行なうことができるデジタルテレビジョン放送受信機を提供することを目的とする。
【０００７】
【課題を解決するための手段】
この発明による第１のデジタルテレビジョン放送受信機は、アンテナで受信された放送波の受信レベルが所定レベル以上であるかどうかを判定する受信レベル判定手段と、現在選局中のチャンネルにおいて放送が休止中となっているか否かを判定する第１手段、現在選局中のチャンネルにおいて放送が休止中となっていると判定したときには、この後所定時間の間、操作部から入力があるか否かを監視する第２手段、および所定時間の間、操作部から入力がなかったときには、省電力化処理を行う第３手段を備えており、第１手段は、受信レベル判定手段において放送波の受信レベルが所定レベル以上であると判定されているにも係らず、映像・音声の提示に必要な情報が取得できないときに、現在選局中のチャンネルにおいて放送が休止中となっていると判定するものであることを特徴とする
【０００８】
この発明による第２のデジタルテレビジョン放送受信機は、現在選局中のチャンネルにおいて放送が休止中となっているか否かを判定する第１手段、現在選局中のチャンネルにおいて放送が休止中となっていると判定したときには、この後所定時間の間、操作部から入力があるか否かを監視する第２手段、および所定時間の間、操作部から入力がなかったときには、省電力化処理を行う第３手段を備えており、第１手段は、映像・音声の提示に必要な情報が取得できているにも係らず、現在選局中の番組に対する番組情報中の番組タイトルが放送休止中であることを表現しているときに、現在選局中のチャンネルにおいて放送が休止中となっていると判断するものであることを特徴とする。
【０００９】
省電力化処理では、たとえば、表示装置の電源が切断される。あるいは、省電力化処理では、たとえば、受信機自体が省電力モードとされる。
【００１０】
【発明の実施の形態】
以下、この発明の実施の形態について説明する。
【００１１】
図１は、デジタルテレビジョン放送受信機の構成を示している。
【００１２】
放送波は、アンテナを介してチューナ１に送られ、高周波処理および復調が行われる。チューナ１からの出力はトランスポートストリーム分離部（以下、ＴＳ分離部という）２に送られ、パケットの復号が行われる。
【００１３】
ＴＳ分離部２において、パケットは、ＭＰＥＧデータと、番組案内情報等の付属情報とに分別される。ＴＳ分離部２によって分離されたＭＰＥＧ映像データは、映像処理部（映像デコード部）４に送られる。ＴＳ分離部２によって分離されたＭＰＥＧ音声データは、音声処理部（音声デコード部）６に送られる。ＴＳ分離部２によって分離された付属情報は、メモリ１１に格納される。
【００１４】
ＣＰＵ１０には、リモコン送信機１４からのリモコン信号が図示しないリモコン受光器を介して入力される。ＣＰＵ１０は、メモリ１１、不揮発性メモリ１３およびＩＣカード１５を備えている。ＣＰＵ１０は、モデム１６を介して電話回線９に接続されている。
【００１５】
ＣＰＵ１０は、チューナ１およびＴＳ分離部２に選局のための情報等を送る。また、ＣＰＵ１０は、番組案内画面、各種設定画面などをオンスクリーン表示させるためのＯＳＤ制御信号を、オンスクリーン生成部３に送る。オンスクリーン生成部３は、番組案内画面、各種設定画面等の表示データを生成して、マルチプレクサ５に送る。
【００１６】
映像処理部４は、ＴＳ分離部２から送られきたＭＰＥＧ映像データを復調して、マルチプレクサ５に送る。マルチプレクサ５は、映像処理部４から出力された映像データにオンスクリーン生成部３から送られてきた表示データをスーパーインポーズ処理して、ＣＲＴ（映像出力部）７に送る。
【００１７】
音声処理部６は、ＴＳ分離部２から送られきたＭＰＥＧ音声データを復調して、スピーカ（音声出力部）８に送る。
【００１８】
この実施の形態では、ＣＰＵ１０は、現在選局されているチャンネルの放送が休止中であるか否かを判定し、休止中であると判定した後一定時間の間、ユーザ操作がなかったときに、省電力化処理を行なう。この実施の形態では、現在選局されているチャンネルの放送が休止中であるか否かを２種類の異なる判定方法を用いて判定している。
【００１９】
まず、第１の放送休止中判定方法を用いた省電力化処理について説明する。
【００２０】
図２は、番組スケジュール取得処理手順を示している。
【００２１】
ＣＰＵ１０は、ＴＳ分離部２に番組スケジュール取得命令を出力する（ステップ１）。ＴＳ分離部２はこの命令を受信すると、番組スケジュールを取得するための処理を実行する。
【００２２】
番組スケジュールがＴＳ分離部２によって取得されると（ステップ２）、取得された番組スケジュールをメモリ１１に保存する（ステップ３）。
【００２３】
このような処理が繰り返し実行されることにより、番組スケジュールが更新された場合には、その都度更新された内容がメモリ１１に格納される。
【００２４】
図３は、映像音声再生処理手順を示している。
【００２５】
放送を受信中、映像と音声を提示するためにＣＰＵ１０がトランスポートストリーム分離部２に、プログラム関連テーブル（ＰＡＴ）およびプログラム・マップ・テーブル（ＰＭＴ）の取得命令を出力するとともに所定時間Ｔ１の計時を開始する（ステップ１１）。この取得指令に基づいて、トランスポートストリーム分離部２は、トランスポートストリーム中のＰＡＴおよびＰＭＴを取得するための処理を実行する。
【００２６】
所定時間Ｔ１が経過する前に、ＰＡＴおよびＰＭＴが取得されると（ステップ１２でＹＥＳ）、ＣＰＵ１０は、トランスポートストリーム分離部２によって取得されたＰＡＴおよびＰＭＴを利用して、選択されているチャンネルに属する映像および音声のストリームを判別するＰＩＤを認識して、トランスポート分離部２に映像用ストリームおよび音声用ストリームのＰＩＤを設定する（ステップ１４）。
【００２７】
これにより、映像用ストリームおよび音声用ストリームがトランスポート分離部２によって取得され、映像および音声が再生される（ステップ１５）。つまり、トランスポート分離部２によって取得された映像用ストリームは、映像処理部４および映像出力部７によって再生される。また、トランスポート分離部２によって得られた音声用ストリームは、音声処理部６および音声出力部８によって再生される。
【００２８】
上記ステップ１１の後、ＰＡＴおよびＰＭＴが取得されることなく、所定時間Ｔ１が経過した場合には（ステップ１３でＹＥＳ）、第１の放送休止中判定処理に移行する。
【００２９】
所定時間Ｔ１は、次のような値に設定される。ストリーム中のＰＡＴおよびＰＭＴは数百ミリ秒から数秒間隔で再送される。Ｔ１は、この再送の周期以上の値に設定される。
【００３０】
送信側において、あるチャンネルの放送を休止するときに、ストリーム中のそのチャンネルのＰＡＴあるいはＰＭＴのどちらか、あるいは両方の送出を止めてしまう場合がある。このようにＰＡＴあるいはＰＭＴのいずれかまたは両方の送出が止められたことを検知したときに、放送休止中かどうかを判定するための第１の放送休止中判定処理に移行するようにしている。
【００３１】
図４は、第１の放送休止中判定処理手順を示している。
【００３２】
第１の放送休止中判定処理では、まず、放送波キャリアがある一定レベル以上で存在しているか否かを判定する（ステップ２１）。この判定は、チューナー１で放送キャリアが捕捉されかつアンテナレベルが十分であるか否かを判定することによって行なわれる。放送波キャリアがある一定レベル以上で存在していない場合には、今回の第１の放送休止中判定処理は終了する。つまり、通常通りの動作を行なうことになる。この理由は、上記ステップ１２において、ＰＡＴあるいはＰＭＴを取得できなかったのは、放送波キャリアがある一定レベル以上で存在していないことに起因している可能性が高いからである。
【００３３】
放送波キャリアがある一定レベル以上で存在している場合には、メモリ１１内に保持されている番組スケジュール情報に基づいて、現在選局しているチャンネルにおいて、現在時刻において放送されるべき番組が存在している否かを判定する（ステップ２２）。現在選局しているチャンネルにおいて、現在時刻において放送されるべき番組が存在していると判定した場合には、今回の第１の放送休止中判定処理は終了する。
【００３４】
現在選局しているチャンネルにおいて、現在時刻において放送されるべき番組が存在してないと判定された場合には、現在選局しているチャンネルにおいて、放送が休止中であると判断して、所定時間Ｔ２の計時を開始する（ステップ２３）。
【００３５】
そして、所定時間Ｔ２の計時を開始してから所定時間Ｔ２が経過するまでに、リモコン送信機１４からの入力があれば（ステップ２４でＹＥＳ）、今回の第１の放送休止中判定処理は終了する。
【００３６】
所定時間Ｔ２の計時を開始してから、リモコン送信機１４からの入力がないまま、所定時間Ｔ２が経過したときには（ステップ２５でＹＥＳ）、省電力化処理に移行する。
【００３７】
図５は、省電力化処理手順を示している。
【００３８】
省電力化処理では、まず、ＣＲＴ７の電源を切る（ステップ３１）。続いて、受信機自体を省電力モード（待機モード）にさせる（ステップ３２）。なお、省電力化処理において、上記ステップ３１およびステップ３２の処理のうち、いずれか一方の処理のみを行なうようにしてもよい。
【００３９】
次に、第２の放送休止中判定方法を用いた省電力化処理について説明する。
ところで、所定の番組について、ＰＡＴ、ＰＭＴが存在するにも係わらず、その番組の放送が休止中である場合がある。このような番組の中には、放送休止中のときに、番組タイトル名を「放送休止」または「放送休止中」とするものがある。
【００４０】
第２の放送休止中判定方法を用いた省電力化処理では、現在選局されている番組のタイトルが「放送休止」または「放送休止中」で有るか否かによって、そのチャンネルの放送が休止中であるか否かを判定し、休止中であると判定した後一定時間の間、ユーザ操作がなかったときに、省電力化処理を行なう。
【００４１】
図６は、第２の放送休止中判定処理手順を示している。
【００４２】
第２の放送休止中判定処理は、所定時間毎に実行される。
【００４３】
まず、メモリ３に格納されているスケジュール情報から、現在選局中の番組のタイトルを抽出する（ステップ４１）。そして、現在選局中の番組のタイトルが「放送休止」または「放送休止中」であるであるか否かを判定する（ステップ４２、４３）。現在選局中の番組のタイトルが「放送休止」および「放送休止中」のいずれでもない場合には、今回の第２の放送休止中判定処理は終了する。つまり、通常通りの動作を行なうことになる。
【００４４】
現在選局中の番組のタイトルが「放送休止」または「放送休止中」である場合には（ステップ４２または４３でＹＥＳ）、現在選局しているチャンネルにおいて、放送が休止中であると判断して、所定時間Ｔ２の計時を開始する（ステップ４４）。
【００４５】
そして、所定時間Ｔ２の計時を開始してから所定時間Ｔ２が経過するまでに、リモコン送信機１４からの入力があれば（ステップ４５でＹＥＳ）、今回の第２の放送休止中判定処理は終了する。
【００４６】
所定時間Ｔ２の計時を開始してから、リモコン送信機１４からの入力がないまま、所定時間Ｔ２が経過したときには（ステップ４６でＹＥＳ）、省電力処理に移行する。省電力処理は、図５で説明したものと同じである。
【００４７】
上記実施の形態によれば、デジタルテレビジョン放送受信機として以下の機能を提供できることになる。
【００４８】
（１）デジタルテレビジョン放送受信機において、映像や音声を出力するための情報である、ＰＡＴあるいはＰＭＴを取得できなくなったときに、アンテナレベルと番組スケジュールを用いて、放送休止中を判定する。そして、放送休止中と判定した後、ある一定時間の間、ユーザが操作を行わなかった場合には、テレビジョンのＣＲＴの電源を切る、あるいは受信機を省電力モードにすることにより、ユーザがテレビジョン受信機の電源の切り忘れ等に対して、無駄な電力の消費を行わないことが可能となる。
【００４９】
（２）また、デジタルテレビジョン放送の受信機において、現在番組の情報において番組のタイトルが「放送休止」または「放送休止中」のなってから、ある一定時間の間、ユーザが操作を行わなかった後、テレビジョンのＣＲＴの電源を切る、あるいは、受信機が省電力モードになることにより、ユーザがテレビジョン受信機の電源の切り忘れ等に対して、無駄な電力の消費を行わないことが可能となる。
【００５０】
【発明の効果】
この発明によれば、現在選局されているチャンネルの放送が休止中となった後、一定期間内にユーザ操作がなかったときに、省電力動作を行なうことができるようになる。
【図面の簡単な説明】
【図１】デジタルテレビジョン放送受信機の構成を示すのブロック図である。
【図２】番組スケジュール取得処理手順を示すフローチャートである。
【図３】映像音声再生処理手順を示すフローチャートである。
【図４】第１の放送休止中判定処理手順を示すフローチャートである。
【図５】省電力処理手順を示すフローチャートである。
【図６】第２の放送休止中判定処理手順を示すフローチャートである。
【符号の説明】
１  チューナー
２  ＴＳ分離部
１０  ＣＰＵ
１１  メモリ
【図１】
0003579364.tif 000002
【図２】
0003579364.tif 000003
【図３】
0003579364.tif 000004
【図４】
0003579364.tif 000005
【図５】
0003579364.tif 000006
【図６】
0003579364.tif 000007